(57)【要約】【課題】測定装置を用いずに、水晶発振子の正確な測定結果を得ることができると共に、水晶発振子の、検討作業、単体評価作業、および検査作業を効率化することができる電子機器を提供する。【解決手段】リモコンからのテスト用リモコンコード信号を受信したときに、内部クロック信号生成部から内部クロック信号が出力され、この出力された内部クロック信号がカウンタでカウントされる。このカウントが行われているときに、リモコンからテスト用リモコンコード信号を受信すると、テスト用リモコンコード信号間の時間的間隔での内部時間が、カウント値に基づいて算出される。また、記テスト用リモコンコード信号間の基準時間と前記内部時間との誤差時間が算出され、内部時間と誤差時間とがディスプレイ装置に表示される。誤差時間と内部時間はメモリに保存され、この後、カウンタがリセットされる。【選択図】図１
2008051535.tif 000002
【特許請求の範囲】
【請求項１】
水晶発振子を含む発振回路により基準信号を発生させる基準信号発生部と、この基準信号発生部からの基準信号に基づいて時間の計時を行うための内部クロック信号を生成する内部クロック信号生成部と、この内部クロック信号生成部で生成された内部クロック信号を入力して時刻を表示手段に表示させるための処理を行う表示処理部とを含み構成され、前記内部クロック信号に従って時刻を表示させる時計機能を備えると共に、リモコンによっても操作可能な電子機器において、
前記内部クロック信号生成部からの内部クロック信号をカウントするカウンタを設けると共に、前記時計機能をテストするテストモード時に所定期間毎にテスト用リモコンコード信号を発信するテスト用リモコンコード信号発信手段を前記リモコンに設け、
前記リモコンよりテストモード指示を受けたときにテストモードに設定するテストモード設定手段と、
前記テストモードに設定された後、前記リモコンからのテスト用リモコンコード信号を受信したときに前記内部クロック信号生成部から内部クロック信号を出力させる内部クロック信号出力制御手段と、
前記カウンタをカウント動作させ、前記出力された内部クロック信号をカウントさせるカウント制御手段と、
前記カウンタのカウント動作が行われているときに、リモコンからテスト用リモコンコード信号を受信したか否かを判定するリモコンコード受信判定手段と、
リモコンからテスト用リモコンコード信号を受信したと判定されたときに、前記テスト用リモコンコード信号間の時間的間隔での内部時間を前記カウンタのカウント値に基づいて算出する内部時間算出手段と、
前記テスト用リモコンコード信号間の基準時間と前記算出された内部時間との誤差時間を算出する誤差時間算出手段と、
前記内部時間と前記誤差時間とを前記表示手段に表示させる時間表示処理手段と、
前記内部時間と前記誤差時間をメモリに保存させる時間保存処理手段と、
前記内部時間と前記誤差時間がメモリに保存された後、前記カウンタをリセットするカウンタリセット手段と、を有するシステムコントローラを備えたことを特徴とする電子機器。
【請求項２】
水晶発振子を含む発振回路により基準信号を発生させる基準信号発生部と、この基準信号発生部からの基準信号に基づいて時間の計時を行うための内部クロック信号を生成する内部クロック信号生成部と、この内部クロック信号生成部で生成された内部クロック信号を入力して時刻を表示手段に表示させるための処理を行う表示処理部とを含み構成され、前記内部クロック信号に従って時刻を表示させる時計機能を備えると共に、リモコンによっても操作可能な電子機器において、
前記内部クロック信号生成部からの内部クロック信号をカウントするカウンタを設けると共に、前記時計機能をテストするテストモード時に所定期間毎にテスト用リモコンコード信号を発信するテスト用リモコンコード信号発信手段を前記リモコンに設け、
前記リモコンからのテスト用リモコンコード信号を受信したときに前記内部クロック信号生成部から内部クロック信号を出力させ、この出力された内部クロック信号を前記カウンタでカウントさせ、このカウントが行われているときに、前記リモコンからテスト用リモコンコード信号を受信したときに、前記テスト用リモコンコード信号間の時間的間隔での内部時間を前記カウンタのカウント値に基づいて算出すると共に、前記テスト用リモコンコード信号間の基準時間と前記算出された内部時間との誤差時間を算出し、前記内部時間と前記誤差時間とを表示手段に表示させ、前記誤差時間と前記内部時間をメモリに保存させ、この後、前記カウンタをリセットするという一連の制御を行うシステムコントローラを備えたことを特徴とする電子機器。
【請求項３】
前記システムコントローラは、前記リモコンよりテストモード指示を受けたときにテストモードに設定するテストモード設定手段と、前記テストモードに設定された後、前記リモコンからのテスト用リモコンコード信号を受信したときに前記内部クロック信号生成部から内部クロック信号を出力させる内部クロック信号出力制御手段と、前記カウンタをカウント動作させ、前記出力された内部クロック信号をカウントさせるカウント制御手段と、前記カウンタのカウント動作が行われているときに、リモコンからテスト用リモコンコード信号を受信したか否かを判定するリモコンコード受信判定手段と、リモコンからテスト用リモコンコード信号を受信したと判定されたときに、前記テスト用リモコンコード信号間の時間的間隔での内部時間を前記カウンタのカウント値に基づいて算出する内部時間算出手段と、前記テスト用リモコンコード信号間の基準時間と前記算出された内部時間との誤差時間を算出する誤差時間算出手段と、前記内部時間と前記誤差時間とを前記表示手段に表示させる時間表示処理手段と、前記内部時間と前記誤差時間をメモリに保存させる時間保存処理手段と、前記内部時間と前記誤差時間がメモリに保存された後、前記カウンタをリセットするカウンタリセット手段とを有することを特徴とする請求項２に記載の電子機器。
【発明の詳細な説明】
【技術分野】
【０００１】
本発明は、内部クロック信号に従って時刻を表示させる時計機能を備えると共に、リモコンによっても操作可能な電子機器に関し、特に、内部クロック信号の元になる基準信号を発生させる発振回路に含まれるクロック用クリスタルである水晶発振子の性能テストに関する。
【背景技術】
【０００２】
従来から、時計機能が付いた電子機器が多く出回っている。例えば、ＤＶＤレコーダ、ハードディスクレコーダ、ビデオカセットレコーダ、テレビジョン受像機、などの電子機器では、殆ど時計機能が備えられている。このような時計機能を有する電子機器では、時計機能を実現するため、クロック用クリスタルである水晶発振子を含む発振回路により基準信号を発生させる基準信号発生部と、この基準信号発生部からの基準信号に基づいて時間の計時を行うための内部クロック信号を生成する内部クロック信号生成部と、この内部クロック信号生成部で生成された内部クロック信号を入力して時刻を表示手段に表示させるための処理を行う表示処理部が備えられている。
【特許文献１】特開昭６４−６７７８号公報
【特許文献２】特開２００４−２２１６７５号公報
【発明の開示】
【発明が解決しようとする課題】
【０００３】
ところで、電子機器の中でも、録画予約する機能を有する電子機器（例えば、ＤＶＤレコーダ、ハードディスクレコーダ、ビデオカセットレコーダ）では、内部の時計機能の時刻が正確である方が好ましい。そのためには、クロック用クリスタルである水晶発振子の性能のバラツキを極力抑える必要がある。
【０００４】
そこで、時計機能の精度を測定するために、従来では、電子機器内の基準信号発生部の出力ラインに、オシロスコープのプローブを接続して、基準信号発生部から出力される基準信号の周波数が所定の周波数になっているかを測定したり、内部クロック信号生成部の出力ラインに、オシロスコープのプローブを接続して、内部クロック信号生成部から出力される内部クロック信号の周期や周波数が所定値になっているかを測定したりしている。
【０００５】
しかしながら、従来のテスト方法では、オシロスコープを用いて測定すると、そのプローブと接地間に浮遊容量が生じるので、発振周波数が微妙に変化したりするので、前記基準信号の周波数、および内部クロック信号の周期や周波数の測定精度が低下し、正確な測定結果を得ることができないと言う課題があった。また、電子機器を分解して、オシロスコープのプローブをテストポイントに接続する必要があるなど、レイアウト的に手間がかかると言う課題があった。また、従来のテスト方法では、クロック用クリスタルである水晶発振子の、検討作業、単体評価作業、および検査作業に多くの時間が掛かり、作業効率が悪いと言う課題があった。
【０００６】
なお、特許文献１の従来技術では、半導体集積回路のテスト状態において、クロック入力端子によりサンプリング周波数信号を入力することにより、集積回路内部で自己発振しているＣＲ発振器の周波数が希望する周波数か否かのチェックを、発振周波数測定装置などを介さずにチェックすることができるようにしているが、クロック入力端子にサンプリング周波数信号を入力するのに、ＬＳＩテスタをクロック入力端子に接続しなければならないので、ＬＳＩテスタを用意しなければならず、また、ＣＲ発信器の周波数が希望する周波数か否かのチェックは、発振周波数測定装置を用いなければ、単に、ＣＲ発振器の周波数が希望周波数であるか否かの判定しかできないので、ＣＲ発振器の周波数の測定精度が非常に劣ることになる。
【０００７】
また、特許文献２の従来技術では、初期設定装置が、電圧制御発振回路からクロックを受信している期間中に、クロック源から発振された基準クロックをカウントして、そのカウント値と基準クロックの発振周波数から電圧制御発振回路が発振するクロックの発振周波数を算出し、その発振周波数に応じて起動要求信号のパルス幅に相当するクロックのカウント値を設定するようにしたものであり、クロック用クリスタルの性能測定のための基準クロックの周期や周波数を測定するものではない。
【０００８】
本発明は、上記のような課題を解決するためになされたもので、オシロスコープなどの測定装置を用いずに、クロック用クリスタルである水晶発振子の正確な評価測定結果を得ることができると共に、水晶発振子の、検討作業、単体評価作業、および検査作業を効率化することができる電子機器を提供することを目的とする。
【課題を解決するための手段】
【０００９】
上記目的を達成するために、請求項１の発明は、水晶発振子を含む発振回路により基準信号を発生させる基準信号発生部と、この基準信号発生部からの基準信号に基づいて時間の計時を行うための内部クロック信号を生成する内部クロック信号生成部と、この内部クロック信号生成部で生成された内部クロック信号を入力して時刻を表示手段に表示させるための処理を行う表示処理部とを含み構成され、前記内部クロック信号に従って時刻を表示させる時計機能を備えると共に、リモコンによっても操作可能な電子機器において、前記内部クロック信号生成部からの内部クロック信号をカウントするカウンタを設けると共に、前記時計機能をテストするテストモード時に所定期間毎にテスト用リモコンコード信号を発信するテスト用リモコンコード信号発信手段を前記リモコンに設け、前記リモコンよりテストモード指示を受けたときにテストモードに設定するテストモード設定手段と、前記テストモードに設定された後、前記リモコンからのテスト用リモコンコード信号を受信したときに前記内部クロック信号生成部から内部クロック信号を出力させる内部クロック信号出力制御手段と、前記カウンタをカウント動作させ、前記出力された内部クロック信号をカウントさせるカウント制御手段と、前記カウンタのカウント動作が行われているときに、リモコンからテスト用リモコンコード信号を受信したか否かを判定するリモコンコード受信判定手段と、リモコンからテスト用リモコンコード信号を受信したと判定されたときに、前記テスト用リモコンコード信号間の時間的間隔での内部時間を前記カウンタのカウント値に基づいて算出する内部時間算出手段と、前記テスト用リモコンコード信号間の基準時間と前記算出された内部時間との誤差時間を算出する誤差時間算出手段と、前記内部時間と前記誤差時間とを前記表示手段に表示させる時間表示処理手段と、前記内部時間と前記誤差時間をメモリに保存させる時間保存処理手段と、前記内部時間と前記誤差時間がメモリに保存された後、前記カウンタをリセットするカウンタリセット手段と、を有するシステムコントローラを備えたことを特徴とする電子機器を提供する。
【００１０】
この構成において、先ず、試験員によりリモコン操作され、電子機器のシステムコントローラがテストモード指示を受けたとき、システムコントローラのテストモード設定手段は、電子機器をテストモードに設定する。この後、検査員は、リモコンを操作して、テスト用リモコンコード信号を送信させる操作を行う。これにより、１回目のテスト用リモコンコード信号が送信され、このテスト用リモコンコード信号を受信したシステムコントローラは、内部クロック信号出力制御手段により、基準信号発生部を動作させ、内部クロック信号生成部から内部クロック信号を出力させる。次に、システムコントローラのカウント制御手段は、カウンタをカウント動作させ、内部クロック信号生成部から出力された内部クロック信号をカウンタにてカウントさせる。このようにカウント動作が行われているときに、システムコントローラのリモコンコード受信判定手段は、リモコンから２回目のテスト用リモコンコード信号を受信したか否かを判定する。
【００１１】
そして、前記テスト用リモコンコード信号を受信したと判定されたとき、システムコントローラのリモコンの内部時間算出手段は、前記テスト用リモコンコード信号間の時間的間隔での内部時間をカウンタのカウント値に基づいて算出する。次に、システムコントローラの誤差時間算出手段は、テスト用リモコンコード信号間の基準時間と前記算出された内部時間との誤差時間を算出する。そして、システムコントローラの時間表示処理手段は、表示手段に内部時間と誤差時間を表示させる。この後、システムコントローラの時間保存処理手段は、内部時間と誤差時間をメモリに保存させ、更に、システムコントローラのカウンタリセット手段は、カウンタをリセットする。
【００１２】
このような処理により、例えば、テスト開始から６０分になった時に、表示手段に、内部時間「１：００：０２：２０５」、誤差時間「０：００：０２：２０５」が表示される。
【００１３】
この構成によれば、時計機能をテストするテストモードを設け、クロック用クリスタルである水晶発振子の性能評価を行うのに、オシロスコープなどの測定装置を用いることなく行うことができるので、水晶発振子の性能評価の正確な測定結果を得ることができる。また、電子機器を分解して、オシロスコープのプローブなどをテストポイントに接続する必要がなく、水晶発振子の性能評価の正確な測定結果を得ることができるので、結果として、水晶発振子の、検討作業、単体評価作業、および検査作業の効率化を図れる。
【００１４】
請求項２の発明は、水晶発振子を含む発振回路により基準信号を発生させる基準信号発生部と、この基準信号発生部からの基準信号に基づいて時間の計時を行うための内部クロック信号を生成する内部クロック信号生成部と、この内部クロック信号生成部で生成された内部クロック信号を入力して時刻を表示手段に表示させるための処理を行う表示処理部とを含み構成され、前記内部クロック信号に従って時刻を表示させる時計機能を備えると共に、リモコンによっても操作可能な電子機器において、前記内部クロック信号生成部からの内部クロック信号をカウントするカウンタを設けると共に、前記時計機能をテストするテストモード時に所定期間毎にテスト用リモコンコード信号を発信するテスト用リモコンコード信号発信手段を前記リモコンに設け、前記リモコンからのテスト用リモコンコード信号を受信したときに前記内部クロック信号生成部から内部クロック信号を出力させ、この出力された内部クロック信号を前記カウンタでカウントさせ、このカウントが行われているときに、前記リモコンからテスト用リモコンコード信号を受信したときに、前記テスト用リモコンコード信号間の時間的間隔での内部時間を前記カウンタのカウント値に基づいて算出すると共に、前記テスト用リモコンコード信号間の基準時間と前記算出された内部時間との誤差時間を算出し、前記内部時間と前記誤差時間とを表示手段に表示させ、前記誤差時間と前記内部時間をメモリに保存させ、この後、前記カウンタをリセットするという一連の制御を行うシステムコントローラを備えたことを特徴とする電子機器を提供する。
【００１５】
この構成において、リモコンからのテスト用リモコンコード信号を受信したときに、内部クロック信号生成部から内部クロック信号が出力され、この出力された内部クロック信号がカウンタでカウントされる。このカウントが行われているときに、リモコンからテスト用リモコンコード信号を受信すると、テスト用リモコンコード信号間の時間的間隔での内部時間がカウンタのカウント値に基づいて算出される。また、前記テスト用リモコンコード信号間の基準時間と前記算出された内部時間との誤差時間が算出され、前記内部時間と前記誤差時間とが表示手段に表示される。そして、前記内部時間と前記誤差時間はメモリに保存され、この後、カウンタがリセットされる。
【００１６】
この構成によれば、時計機能をテストするテストモードを設け、クロック用クリスタルである水晶発振子の性能評価を行うのに、オシロスコープなどの測定装置を用いることなく行うことができるので、水晶発振子の性能評価の正確な測定結果を得ることができる。また、電子機器を分解して、オシロスコープのプローブなどをテストポイントに接続する必要がなく、水晶発振子の性能評価の正確な測定結果を得ることができるので、結果として、水晶発振子の、検討作業、単体評価作業、および検査作業の効率化を図れる。
【００１７】
請求項３の発明では、請求項２の発明において、前記システムコントローラは、前記リモコンよりテストモード指示を受けたときにテストモードに設定するテストモード設定手段と、前記テストモードに設定された後、前記リモコンからのテスト用リモコンコード信号を受信したときに前記内部クロック信号生成部から内部クロック信号を出力させる内部クロック信号出力制御手段と、前記カウンタをカウント動作させ、前記出力された内部クロック信号をカウントさせるカウント制御手段と、前記カウンタのカウント動作が行われているときに、リモコンからテスト用リモコンコード信号を受信したか否かを判定するリモコンコード受信判定手段と、リモコンからテスト用リモコンコード信号を受信したと判定されたときに、前記テスト用リモコンコード信号間の時間的間隔での内部時間を前記カウンタのカウント値に基づいて算出する内部時間算出手段と、前記テスト用リモコンコード信号間の基準時間と前記算出された内部時間との誤差時間を算出する誤差時間算出手段と、前記内部時間と前記誤差時間とを前記表示手段に表示させる時間表示処理手段と、前記内部時間と前記誤差時間をメモリに保存させる時間保存処理手段と、前記内部時間と前記誤差時間がメモリに保存された後、前記カウンタをリセットするカウンタリセット手段とを有する。
【００１８】
したがって、前記システムコントローラは、テストモード設定処理、内部クロック信号出力制御処理、カウント制御処理、リモコンコード受信判定処理、内部時間算出処理、誤差時間算出処理、時間表示処理、時間保存処理、およびカウンタリセット処理を実現でき、これにより、クロック用クリスタルである水晶発振子の性能評価を行うのに、オシロスコープなどの測定装置を用いることなく行うことが可能になる。
【発明の効果】
【００１９】
以上のように本発明によれば、内部クロック信号生成部からの内部クロック信号をカウントするカウンタを設けると共に、時計機能をテストするテストモード時に所定期間毎にテスト用リモコンコード信号を発信するテスト用リモコンコード信号発信手段をリモコンに設け、前記リモコンよりテストモード指示を受けたときにテストモードに設定するテストモード設定手段と、前記テストモードに設定された後、前記リモコンからのテスト用リモコンコード信号を受信したときに前記内部クロック信号生成部から内部クロック信号を出力させる内部クロック信号出力制御手段と、前記カウンタをカウント動作させ、前記出力された内部クロック信号をカウントさせるカウント制御手段と、前記カウンタのカウント動作が行われているときに、リモコンからテスト用リモコンコード信号を受信したか否かを判定するリモコンコード受信判定手段と、リモコンからテスト用リモコンコード信号を受信したと判定されたときに、前記テスト用リモコンコード信号間の時間的間隔での内部時間を前記カウンタのカウント値に基づいて算出する内部時間算出手段と、前記テスト用リモコンコード信号間の基準時間と前記算出された内部時間との誤差時間を算出する誤差時間算出手段と、前記内部時間と前記誤差時間とを前記表示手段に表示させる時間表示処理手段と、前記内部時間と前記誤差時間をメモリに保存させる時間保存処理手段と、前記内部時間と前記誤差時間がメモリに保存された後、前記カウンタをリセットするカウンタリセット手段と、を有するシステムコントローラを備えたので、時計機能をテストするテストモードを設け、クロック用クリスタルである水晶発振子の性能評価を行うのに、オシロスコープなどの測定装置を用いることなく行うことができ、これにより、水晶発振子の性能評価の正確な測定結果を得ることができる。また、水晶発振子の性能評価の正確な測定結果を得ることができるので、結果として、水晶発振子の、検討作業、単体評価作業、および検査作業の効率化を図れる。
【００２０】
また、本発明によれば、内部クロック信号生成部からの内部クロック信号をカウントするカウンタを設けると共に、前記時計機能をテストするテストモード時に所定期間毎にテスト用リモコンコード信号を発信するテスト用リモコンコード信号発信手段をリモコンに設け、前記リモコンからのテスト用リモコンコード信号を受信したときに前記内部クロック信号生成部から内部クロック信号を出力させ、この出力された内部クロック信号を前記カウンタでカウントさせ、このカウントが行われているときに、前記リモコンからテスト用リモコンコード信号を受信したときに、前記テスト用リモコンコード信号間の時間的間隔での内部時間を前記カウンタのカウント値に基づいて算出すると共に、前記テスト用リモコンコード信号間の基準時間と前記算出された内部時間との誤差時間を算出し、前記内部時間と前記誤差時間とを表示手段に表示させ、前記誤差時間と前記内部時間をメモリに保存させ、この後、前記カウンタをリセットするという一連の制御を行うシステムコントローラを備えたので、時計機能をテストするテストモードを設け、クロック用クリスタルである水晶発振子の性能評価を行うのに、オシロスコープなどの測定装置を用いることなく行うことができ、これにより、水晶発振子の性能評価の正確な測定結果を得ることができる。また、水晶発振子の性能評価の正確な測定結果を得ることができるので、結果として、水晶発振子の、検討作業、単体評価作業、および検査作業の効率化を図れる。
【発明を実施するための最良の形態】
【００２１】
以下、添付図面を参照しつつ、本発明の実施の形態について説明する。図１は本発明の一実施形態に係る電子機器の構成を示すブロック図である。
【００２２】
この電子機器は、基準信号を発生させる基準信号発生部１と、時間の計時を行うための内部クロック信号を生成する内部クロック信号生成部２と、この内部クロック信号生成部２で生成された内部クロック信号を入力して時刻を表示手段に表示させるための処理を行う表示処理部３と、前記表示手段としての本体表示部４およびディスプレイ装置１０と、本機器全体を制御するシステムコントローラ５と、本機器に必要なデータを記憶するメモリ６と、リモコン８からの光操作信号を受光して電気信号の操作信号としてシステムコントローラ５に入力する受光部７と、内部クロック信号生成部２からの内部クロック信号をカウントするカウンタ９とを備えている。
【００２３】
基準信号発生部１には、時計機能に用いられるクロック用クリスタルである水晶発振子１１を含む発振回路１２が備えられ、発振回路１２により基準信号を発生させる。内部クロック信号生成部２には、発振回路１２からの基準信号をパルス信号に変換するパルス変換回路２１と、このパルス変換回路２１からのパルス信号を分周して時間の計時を行うための内部クロック信号を出力する分周回路２２とが備えられている。
【００２４】
この実施形態では、リモコン８は、時計機能をテストするテストモード時に所定期間毎にテスト用リモコンコード信号を発信するテスト用リモコンコード信号発信手段を備えている。また、この実施形態では、システムコントローラ５は、リモコン８よりテストモード指示を受けたときにテストモードに設定するテストモード設定手段と、前記テストモードに設定された後、リモコン８からのテスト用リモコンコード信号を受信したときに前記内部クロック信号生成部から内部クロック信号を出力させる内部クロック信号出力制御手段と、カウンタ９をカウント動作させ、前記出力された内部クロック信号をカウントさせるカウント制御手段と、カウンタ９のカウント動作が行われているときに、リモコン８からテスト用リモコンコード信号を受信したか否かを判定するリモコンコード受信判定手段と、リモコン８からテスト用リモコンコード信号を受信したと判定されたときに、前記テスト用リモコンコード信号の間の時間的間隔での内部時間をカウンタ９のカウント値に基づいて算出する内部時間算出手段と、前記テスト用リモコンコード信号間の基準時間と前記算出された内部時間との誤差時間を算出する誤差時間算出手段と、カウンタ９の現在のカウント値に基づく内部時間と前記誤差時間とを本体表示部４または／およびディスプレイ装置１０に表示させる時間表示処理手段と、前記内部時間と前記誤差時間とをメモリ６に保存させる時間保存処理手段と、前記内部時間と前記誤差時間とがメモリ６に保存された後、カウンタ９をリセットするカウンタリセット手段とを有する。
【００２５】
図２および図３は本実施形態において電子機器のクロック用クリスタルである水晶発振子の性能のテストを行う場合の構成図である。図２および図３において、Ａは、例えばＤＶＤレコーダやハードディスクレコーダあるいはビデオカセットレコーダなどのように時計機能を備えると共に、リモコンによっても操作可能な電子機器や、その他、時計機能が付いていてリモコンによっても操作可能な電子機器であれば何れであっても良い。この電子機器Ａの前面操作部には本体表示部４などが設けられている。ディスプレイ装置１０は、接続ケーブルＬによって電子機器Ａと接続されている。
【００２６】
図２に示すディスプレイ装置１０には、機器の内部時間の計時状態をテストするテストモード時の初期画面が表示されている。この初期画面には、内部クロック信号をカウンタ９によりカウントしたカウント値に基づく内部時間、即ち、この例の場合は、カウントが始まる前なので、内部時間は「０：００：００：０００」であり、誤差時間は「０：００：００：０００」になっている。なお、０：００：００：０００」は、「時：分：秒：０．０００秒」に対応している。
【００２７】
また、図３に示すディスプレイ装置１０には、機器の内部時間の計時状態をテストするテストモード時の途中画面が表示されている。この途中画面には、内部クロック信号をカウンタ９によりカウントしたカウント値に基づく内部時間、即ち、この場合は、リモコン８からのテスト用リモコンコード信号に基づく基準時間が１時間経過した時点のカウント値に基づく内部時間を示す。この例の場合、内部時間は「１：００：０２：２０５」であり、誤差時間は「０：００：０２：２０５」になっている。即ち、内部クロック信号によるカウント値に基づく内部時間は、１時間２．２０５秒であり、誤差時間は、２．２０５秒となっている。つまり、正確な時間経過が１時間（基準時間）であるにもかかわらず、電子機器内部の時計機能による時間経過が１時間２．２０５秒（内部時間）であり、誤差時間は、１時間２．２０５秒から１時間を差し引いた２．２０５秒となる。この算出結果で、この電子機器に備えられている水晶発振子１１は、１時間につき２．２０５秒程度時間が進まると言う特性を有することになる。
【００２８】
図４は本実施形態においてリモコン８から送信されるテスト用リモコンコード信号の受信時点の基準時間の経過時間と、各受信時点に対応する内部クロック信号によるカウント値に基づく内部時間の経過時間との関係を説明するための図である。
【００２９】
図４（１）においては、この電子機器がリモコン８から正確に６０分間隔で送信されてきたテスト用リモコンコード信号を受信したときの正確な時間経過（基準時間）を示し、電子機器は、０分の時点で１回目のテスト用リモコンコード信号を受信し、６０分の時点で２回目のテスト用リモコンコード信号を受信する。
【００３０】
図４（２）において、ｔ０，ｔ１は、カウント値に基づく内部時間を示し、図４（１）に示す時点０分，６０分にそれぞれ対応して内部時間がｔ０，ｔ１であることを示している。この例の場合、内部時間ｔ０は、図２で示したように、「０：００：００：０００」であり、内部時間ｔ１は、図３で示したように、「１：００：０２：２０５」である。
【００３１】
図５は本実施形態においてクリスタル用クロックである水晶発振子の性能をテストするテストモード時の動作を説明するためのフローチャートである。このフローチャートおよび図１〜図４を参照してクリスタル用クロックである水晶発振子の性能をテストするテストモード時の動作について説明する。
【００３２】
先ず、試験員がリモコン８を操作し、電子機器Ａにテストモードの指示を与える。これに応答して、電子機器Ａのシステムコントローラ５は、リモコン８よりテストモード指示を受けたことを検知し（ステップＳ１）、システムコントローラ５のテストモード設定手段は、電子機器Ａをテストモードに設定する（ステップＳ２）。この後、検査員は、リモコン８を操作して、テスト用リモコンコード信号を送信させる操作を行う。これにより、１回目のテスト用リモコンコード信号（図４中の時点０分でのテスト用リモコンコード信号）が送信され、このテスト用リモコンコード信号を受信した（ステップＳ３）システムコントローラ５は、内部クロック信号出力制御手段により、基準信号発生部１を動作させ、内部クロック信号生成部２から内部クロック信号を出力させる（ステップＳ４）。
【００３３】
次に、システムコントローラ５のカウント制御手段は、カウンタ９をカウント動作させ、内部クロック信号生成部２から出力された内部クロック信号をカウンタ９にてカウントさせる（ステップＳ５）。このようにカウンタ９のカウント動作が行われているときに、システムコントローラ５のリモコンコード受信判定手段は、リモコン８から２回目のテスト用リモコンコード信号（図４中の時点６０分でのテスト用リモコンコード信号）を受信したか否かを判定する（ステップＳ６）。
【００３４】
そして、２回目のテスト用リモコンコード信号を受信したと判定されたとき、システムコントローラ５の内部時間算出手段は、１回目のテスト用リモコンコード信号と２回目のテスト用リモコンコード信号との間の時間的間隔（例えば図４（１）中の時点０分〜６０分の間の６０分）での内部時間（図４（２）中の内部時間ｔ１）をカウンタ９のカウント値に基づいて算出する（ステップＳ７）。即ち、前記内部時間算出手段は、内部クロック信号生成部２から出力された内部クロック信号をカウントしたカウンタ９の出力であるカウント値を検知することにより、前記時間的間隔でのカウント値に基づいて内部時間が分かることになる。
【００３５】
次に、システムコントローラ５の誤差時間算出手段は、前記テスト用リモコンコード信号間の基準時間（この例の場合６０分）と、前記算出された内部時間との誤差時間を算出する（ステップＳ８）。そして、システムコントローラ５の時間表示処理手段は、前記誤差時間を示すデータと、カウンタ９のカウント値に基づく内部時間を示すデータとを表示処理部３に送り、表示処理部３にて表示可能な信号にＯＳＤ処理し、ディスプレイ装置１０に内部時間と誤差時間を表示させる（ステップＳ９）。この後、システムコントローラ５の時間保存処理手段は、内部時間と誤差時間をメモリ６に保存させ（ステップＳ１０）、更に、システムコントローラ５のカウンタリセット手段は、カウンタ９をリセットする（ステップＳ１１）。
【００３６】
この例の場合、テスト開始から６０分になった時に、図３に示すように、ディスプレイ装置１０に、内部時間「１：００：０２：２０５」、誤差時間「０：００：０２：２０５」が表示される。なお、テスト開始から６０分になった時に、内部時間と誤差時間を算出して表示するようにしたが、６０分に限ることはない。
また、内部時間と誤差時間をディスプレイ装置１０に表示させるようにしたが、内部時間と誤差時間を本体表示部４に表示させるようにしても良い。
【００３７】
カウンタ９をリセットした後、テストが終了していない場合は（ステップＳ１２）、ステップＳ５の処理に戻り、以下同様な処理を行う。テストが終了したか否かの判定は、カウンタ９のリセット回数が予め設定された回数になれば、システムコントローラ５は、テストを終了したと判定する。したがって、例えば、図４に示すように、基準時間の経過時間が６０分で、内部時間の経過時間を６０分間テストを行う場合であれば、カウンタ９のリセット回数が１回になれば、テストが終了するように予め設定しておけば、システムコントローラ５は、カウンタ９が１回リセットされると、テストを終了したと判定する。また、基準時間の経過時間が１分で、内部時間の経過時間を調べるテストを６０分間行う場合は、カウンタ９のリセット回数が６０回になれば、テストが終了するように予め設定しておけば、システムコントローラ５は、カウンタ９が６０回リセットされると、テストを終了したと判定する。なお、テスト時間は６０分に限ることはない。
【００３８】
以上説明したように本実施形態によれば、時計機能をテストするテストモードを設け、クロック用クリスタルである水晶発振子の性能評価を行うのに、オシロスコープなどの測定装置を用いることなく行うことができるので、水晶発振子の性能評価の正確な測定結果を得ることができる。また、電子機器を分解して、オシロスコープのプローブなどの測定装置をテストポイントに接続する必要がなく、水晶発振子の性能評価の正確な測定結果を得ることができるので、結果として、水晶発振子の、検討作業、単体評価作業、および検査作業の効率化を図れる。
【産業上の利用可能性】
【００３９】
本発明は、時計機能を有する電子機器におけるクロック用クリスタルである水晶発振子の性能評価を行うのに利用可能である。
【図面の簡単な説明】
【００４０】
【図１】本発明の一実施形態に係る電子機器の構成を示すブロック図である。
【図２】前記実施形態において電子機器のクロック用クリスタルである水晶発振子の性能のテストを行う場合の構成図である。
【図３】前記実施形態において電子機器のクロック用クリスタルである水晶発振子の性能のテストを行う場合の構成図である。
【図４】前記実施形態においてリモコンから送信されるテスト用リモコンコード信号の受信時点の基準時間の経過時間と各受信時点に対応する内部クロック信号による内部時間の経過時間との関係を説明するための図である。
【図５】前記実施形態においてクリスタル用クロックである水晶発振子の性能をテストするテストモード時の動作を説明するためのフローチャートである。
【符号の説明】
【００４１】
１    基準信号発生部
２    内部クロック信号生成部
３    表示処理部
４    本体表示部（表示手段）
５    システムコントローラ
６    メモリ
８    リモコン
９    カウンタ
１０    ディスプレイ装置（表示手段）
【図１】
2008051535.tif 000003
【図２】
2008051535.tif 000004
【図３】
2008051535.tif 000005
【図４】
2008051535.tif 000006
【図５】
2008051535.tif 000007